(57)【特許請求の範囲】
【請求項１】
額縁のコーナー部において縦横フレームの双方に挿入するＬ字形連結金具に、その両挿入板の先端に額縁裏側に面して先方へ低く傾斜する雌ネジ片をそれぞれ内向して突設し、縦横フレームには、その雌ネジ片に螺入する締めネジが頭部で掛かるよう切欠を設け、締めネジがネジの力で切欠に掛かることにより両フレームを突き合わせ方向に押圧するように構成したことを特徴とする額縁のコーナー連結装置。。
【請求項２】
Ｌ字形連結金具において、雌ネジ片の端に起立片を締めネジのストッパーとして突設し、締めネジの頭部が切欠と起立片とに両持ちで掛かるように、起立片の掛止縁と切欠の掛止縁とが同時に掛かる位置決めに形成されていることを特徴とする請求項１記載の額縁のコーナー連結装置。
【請求項３】
締めネジが切欠と起立片との双方に掛かる座金付きであることを特徴とする請求項１又は２記載の額縁のコーナー連結装置。
【発明の詳細な説明】
【０００１】
【発明の属する技術分野】
この発明は、縦横フレームの突き合わせを締め付ける額縁のコーナー連結装置に関する。
【０００２】
【従来の技術】
額縁の縦横フレームを枠組みするには、隣接する双方のフレームに挿入されるＬ字形の連結金具が用いられ、一般的にフレームにネジ止め等によって固定されるが、単なる固定だけでは両フレームの突き合わせを締め付けることにはならないので、その締め付けも同時になされる手段が講じられることがある。それには様々な態様があるが、一例として、この出願人が既に提案した実公平４−２０２９４号公報に記載したものを挙げることができる。
【０００３】
同公報に記載される額縁のコーナー連結装置は、額縁の各コーナーにＬ字形連結金具を用いる他に、Ｌ字形連結金具の両端方向に対応して１対の連結固定金具を用いるもので、これによると、Ｌ字形連結金具には両挿入板にそれぞれ雌ネジ片を設け、連結固定金具にはその雌ネジ片に螺入する締めネジの頭部が掛かる切欠が設けられる。この切欠に保持した締めネジをコーナー双方からＬ字形連結金具の各雌ネジ片に螺入することによりフレームの連結がなされ、このときに、締めネジが頭部で連結固定金具と一体の両フレームを突き合わせ方向に引き寄せ、これによって突き合わせが締め付けられる。
【０００４】
【発明が解決しようとする課題】
しかしながら、上記のような従来の額縁のコーナー連結装置によれば、一個のＬ字形連結金具に対して両フレームを引く媒体として１対の連結固定金具が用いられるので、それだけ部品点数が多くなるだけでなく、連結固定金具をフレームに固定する手数を要するために、コスト高となり省力化に適しなかった。また、連結固定金具がビスによりフレームの内側に固定されるが、その締めが緩いと、連結操作時に締める締めネジの力でずれるおそれがあり、この点において、両フレームの突き合わせに均等性が得られるという信頼性に乏しかった。
【０００５】
この発明は、上記の額縁のコーナー連結装置の改良に係わるもので、Ｌ字形連結金具の他には、連結固定金具のような別の金具を要しなく、しかも、両フレームの突き合わせに均等性が確実に得られる額縁のコーナー連結装置を提供することを目的とした。
【０００６】
【課題を解決するための手段】
上記の目的を達成するために、この発明は、額縁のコーナー部において縦横フレームの双方に挿入するＬ字形連結金具に、その両挿入板の先端に額縁裏側に面して先方へ低く傾斜する雌ネジ片をそれぞれ内向して突設し、縦横フレームには、その雌ネジ片に螺入する締めネジが頭部で掛かるよう切欠を設け、締めネジがネジの力で切欠に掛かることにより両フレームを突き合わせ方向に押圧するように構成したことを特徴とする額縁のコーナー連結装置を提供するものである。
【０００７】
額縁のコーナー連結装置を上記のように構成したから、縦横フレームを連結するには、その双方にＬ字形連結金具の挿入板を嵌入してから、両挿入板に有する雌ネジ片に螺着される締めネジを締めると、その頭部がフレームの切欠に掛かることにより、ネジの力で頭部がフレームをコーナー方向へ押し付ける。この切欠は、プレス加工により予め正確に形成しておくことにより、それを基準として両フレームの突き合わせの均等性及び正確性が得られる。
【０００８】
【発明の実施の形態】
この発明において、フレーム１の設けられる切欠１１に締めネジ９の頭部が掛かることにより、ネジの力がこれに及ぶものであるが、その切欠１１が形成される部片については、特に限定するものではないが、実施例に示すように特に縦幅片１９であると、Ｖ字形の切欠１１が締めネジ９の頭部を受ける強度において適している。また、切欠１１には締めネジ９の頭部が片側で掛かるので、両持ちに掛かるように、雌ネジ片７に起立片２３をストッパーとして突設すると（請求項２）、フレーム１，１の突き合わせに緩みを招く切欠１１部分の変形が防止され、さらに、締めネジに傾かない安定性が得られると同時に過剰な締め付けが防止され、両フレーム１，１の突き合わせの均等性も得られやすい。
【０００９】
また、締めネジ９の頭部がそのままで掛かるようにしても良いが、座金１０付きであると（請求項３）、それによる無理な力の吸収があるので、突き合わせの均等性が得られやすくなり、また、切欠１１部分の変形や反復による磨耗が防止される。
【００１０】
【発明の効果】
以上説明したように、この発明によれば、Ｌ字形連結金具の他には、別途金具を用いないため、部品点数が少なくなると同時に手数が省けるため、額縁の安価な提供と省力化に適し、しかも、締めネジの頭部が掛かる切欠の位置がずれなく確定しているため、両フレームの突き合わせに左右均等性が確実に得られるという優れた効果がある。
【００１１】
【実施例】
次に、この発明の実施例を図面に基づいて説明する。
【００１２】
図面は一実施例を示したもので、その額縁のコーナー連結装置は、縦横フレーム１，１が突き合うコーナー部に、その双方に挿入されるよう鋼鉄板をプレス加工してなるＬ字形連結金具３が用いられ、その両挿入板５，５には雌ネジ片７，７が形成され、フレーム１，１には、その雌ネジ片７，７に螺入する締めネジ９，９の頭部が掛かるようにその位置に切欠１１，１１が設けられる。
【００１３】
フレーム１は、アルミ押出成形により、側壁１３の一端に内向屈曲してなる前面壁１５が形成された概略Ｌ字形断面構造であって、側壁１３の内面にＬ字形連結金具３の挿入板５が嵌まる蟻溝１５が形成される。蟻溝１５は、開口を狭める一対の突部片１７，１８により形成され、そのうち、裏側位置の上の突部片１７がＴ字形断面に形成され、その縦幅片１９に切欠１１が４５度のＶ字形に形成される。
【００１４】
Ｌ字形連結金具３は、両挿入板５，５の先端が裏側に面するようほぼ４５度の斜面に形成され、その斜端縁２１，２１において９０度に内側に屈折して雌ネジ片７，７が形成され、雌ネジ片７に連続して外側に９０度に屈折する起立片２３が形成される。雌ネジ片７には、裏側に近い上端部にネジ孔２５が設けられ、起立片２３には、ネジ孔２５に近い箇所の屈折部に切欠部２７を設けてある。フレーム１，１の切欠１１は、その掛止縁１１ａが起立片２３の先端の掛止縁２３ａと丁度並列するように設けられる。
【００１５】
Ｌ字形連結金具３をその双方の蟻溝１５，１５に挿入するときに、予め締めネジ９，９を雌ネジ片７，７に浅く螺入しておく。それから両フレーム１，１を突き合わせながら締めネジ９，９を深く螺入すると、締めネジ９が頭部で切欠１１に引っ掛かり、ねじ込みの力により両フレーム１，１が突き合うように締め付けられる。
【００１６】
このときに締めネジ９の頭部が切欠１１と起立片２３との両方に掛かるために、起立片２３がストッパーとなって過剰な締め付けが防止され、しかも、締めネジ９の頭部が両持ちとなり傾かなく安定するし、起立片２３がストッパーとして効きすぎると、切欠部２７があることに伴う変形により無理な力が吸収される。また、締めネジ９には座金１０が用いられているので、締めネジ９の頭部の回転摩擦が直接フレーム１の切欠１１部分やＬ字形連結金具３の起立片２３に及ばないことから、それらの変形や、繰り返し使用による磨耗が防止され、さらに、締めネジ９を回転する無理な力がこの座金１０で吸収される。
【図面の簡単な説明】
【図１】この発明による額縁のコーナー連結装置を示す同コーナー部の分解斜視図である。
【図２】同コーナー部における連結状態を示す斜視図である。
【図３】同連結状態を示す図２のＡ−Ａ線矢視の断面図である。
【図４】同実施例におけるＬ字形連結金具の平面図である。
【符号の説明】
１  フレーム
３  Ｌ字形連結金具
５  挿入板
７  雌ネジ片
９  締めネジ
１０  座金
１１  切欠
１１ａ  掛止縁
２３  起立片
２３ａ  掛止縁
【図１】
0003824156.tif 000002
【図２】
0003824156.tif 000003
【図３】
0003824156.tif 000004
【図４】
0003824156.tif 000005